(57)【要約】【課題】排出方向での光の照射範囲を広げることができ、ユーザの視認性を向上させることができる原稿搬送装置を提供する。【解決手段】原稿搬送装置は、原稿を載置する載置トレイ１３０ｂ（原稿載置部１３０の一部）と、原稿排出口から排出方向Ｈに排出された原稿が積載される排出トレイ１４０と、排出トレイ１４０に向かって光を照らす光源１６１を有する基板１６０とを備える。排出トレイ１４０は、載置トレイ１３０ｂの下方に設けられる。基板１６０は、光源１６１の光軸が原稿排出口側に向くように、原稿搬送装置の水平基準に対し傾斜させて原稿載置部１３０に取り付けられている。【選択図】図７
2020063135.tif 000002
【特許請求の範囲】
【請求項１】
原稿を載置する原稿載置部と、
原稿排出口から排出方向に排出された原稿が積載される原稿排出部と、
前記原稿排出部に向かって光を照らす光源を有する基板とを備えた原稿搬送装置であって、
前記原稿排出部は、前記原稿載置部の下方に設けられ、
前記基板は、前記光源の光軸が前記原稿排出口側に向くように、前記原稿搬送装置の水平基準に対し傾斜させて前記原稿載置部に取り付けられていること
を特徴とする原稿搬送装置。
【請求項２】
請求項１に記載の原稿搬送装置であって、
前記光源の光軸は、前記排出方向において、前記原稿排出部の上面に対し傾斜していること
を特徴とする原稿搬送装置。
【請求項３】
請求項１または請求項２に記載の原稿搬送装置であって、
前記光源の光軸は、前記排出方向において、前記原稿載置部の載置面に対し傾斜していること
を特徴とする原稿搬送装置。
【請求項４】
請求項１から請求項３までのいずれか１つに記載の原稿搬送装置であって、
前記基板は、前記原稿載置部のうち、前記排出方向での下流側端部に配置されていること
を特徴とする原稿搬送装置。
【請求項５】
請求項４に記載の原稿搬送装置であって、
前記光源から照射される光の照射範囲は、前記排出方向において、前記原稿排出部の前記排出方向での下流側端部よりも外側を含むように設定されていること
を特徴とする原稿搬送装置。
【請求項６】
請求項４に記載の原稿搬送装置であって、
前記原稿排出部は、前記排出方向において、前記光源から照射される光の照射範囲よりも下流側に延伸されていること
を特徴とする原稿搬送装置。
【請求項７】
請求項１から請求項６までのいずれか１つに記載の原稿搬送装置であって、
前記基板は、前記原稿載置部に内蔵され、開口部を介して光を照射する構成とされ、
前記開口部は、前記原稿載置部の下面に設けられ、前記光源から照射される光を絞るスリット部材が設けられていること
を特徴とする原稿搬送装置。
【請求項８】
請求項１から請求項７までのいずれか１つに記載の原稿搬送装置であって、
前記光源の光軸は、前記原稿排出口から排出される原稿の幅方向において、前記原稿搬送装置の手前側に向けて傾斜していること
を特徴とする原稿搬送装置。
【請求項９】
請求項１から請求項８までのいずれか１つに記載の原稿搬送装置であって、
前記光源から照射される光の向きを変える光学部材を設けて、前記光軸を傾けたこと
を特徴とする原稿搬送装置。
【請求項１０】
請求項１から請求項９までのいずれか１つに記載の原稿搬送装置を備えた画像形成装置。
【発明の詳細な説明】
【技術分野】
【０００１】
本発明は、原稿を搬送する原稿搬送装置および画像形成装置に関する。
【背景技術】
【０００２】
従来、画像形成装置に設けられている原稿搬送装置では、積載トレイに積載された原稿を引き込み、原稿を読み取った後、排出トレイ上に排出している。原稿搬送装置では、排出トレイの上方に積載トレイが設けられており、排出トレイが暗くなっているため、ユーザが排出された原稿に気づかないことがあった。このような原稿の取り忘れを防止するため、排出トレイを照らす光源を設けることが提案されている（例えば、特許文献１参照）。
【先行技術文献】
【特許文献】
【０００３】
【特許文献１】特開２０１３−１９７７２５号公報
【発明の概要】
【発明が解決しようとする課題】
【０００４】
特許文献１に記載の画像読取装置は、給送原稿を積載する給送原稿積載部と、給送原稿積載部に載置された原稿を搬送する原稿搬送手段と、給送原稿積載部の直下に配置され、原稿搬送手段によって排出された原稿が積載される原稿排出部と、給送原稿積載部の下方に配置され、原稿排出部を照明する照明手段（照明ランプ）とを有し、照明手段は、原稿搬送方向と直交する方向で、最大サイズの原稿搬送経路よりも外側に配置されている。上述した画像読取装置では、照明ランプが給送原稿積載部の下面に、単に設けられているだけであって、原稿搬送方向での照明範囲に対する配慮がされておらず、原稿排出部の視認性が充分に確保されていないという課題がある。
【０００５】
本発明は、上記の課題を解決するためになされたものであり、排出方向での光の照射範囲を広げることができ、ユーザの視認性を向上させることができる原稿搬送装置および画像形成装置を提供することを目的とする。
【課題を解決するための手段】
【０００６】
本発明に係る原稿搬送装置は、原稿を載置する原稿載置部と、原稿排出口から排出方向に排出された原稿が積載される原稿排出部と、前記原稿排出部に向かって光を照らす光源を有する基板とを備えた原稿搬送装置であって、前記原稿排出部は、前記原稿載置部の下方に設けられ、前記基板は、前記光源の光軸が前記原稿排出口側に向くように、前記原稿搬送装置の水平基準に対し傾斜させて前記原稿載置部に取り付けられていることを特徴とする。
【０００７】
本発明に係る原稿搬送装置では、前記光源の光軸は、前記排出方向において、前記原稿排出部の上面に対し傾斜している構成としてもよい。
【０００８】
本発明に係る原稿搬送装置では、前記光源の光軸は、前記排出方向において、前記原稿載置部の載置面に対し傾斜している構成としてもよい。
【０００９】
本発明に係る原稿搬送装置では、前記基板は、前記原稿載置部のうち、前記排出方向での下流側端部に配置されている構成としてもよい。
【００１０】
本発明に係る原稿搬送装置では、前記光源から照射される光の照射範囲は、前記排出方向において、前記原稿排出部の前記排出方向での下流側端部よりも外側を含むように設定されている構成としてもよい。
【００１１】
本発明に係る原稿搬送装置では、前記原稿排出部は、前記排出方向において、前記光源から照射される光の照射範囲よりも下流側に延伸されている構成としてもよい。
【００１２】
本発明に係る原稿搬送装置では、前記基板は、前記原稿載置部に内蔵され、開口部を介して光を照射する構成とされ、前記開口部は、前記原稿載置部の下面に設けられ、前記光源から照射される光を絞るスリット部材が設けられている構成としてもよい。
【００１３】
本発明に係る原稿搬送装置では、前記光源の光軸は、前記原稿排出口から排出される原稿の幅方向において、前記原稿搬送装置の手前側に向けて傾斜している構成としてもよい。
【００１４】
本発明に係る原稿搬送装置は、前記光源から照射される光の向きを変える光学部材を設けて、前記光軸を傾けた構成としてもよい。
【００１５】
本発明に係る画像形成装置は、本発明に係る原稿搬送装置を備えることを特徴とする。
【発明の効果】
【００１６】
本発明によると、基板を傾けて配置することで、排出方向での照射範囲を広げることができ、ユーザの視認性を向上させることができる。
【図面の簡単な説明】
【００１７】
【図１】本発明の第１実施形態に係る画像形成装置の概略側面図である。
【図２】本発明の第１実施形態に係る原稿搬送装置を示す斜視図である。
【図３】図２に示す原稿搬送装置の上面図である。
【図４】図２に示す原稿搬送装置の正面図である。
【図５】図２に示す原稿搬送装置の側面図である。
【図６】光源収納部近傍を示す拡大下面図である。
【図７】基板近傍の構造を示す模式断面図である。
【図８】下側基板保持部に対応する部分での拡大断面図である。
【図９】光源の向きと照射範囲との関係を示す説明図である。
【図１０】本発明の第２実施形態において、基板近傍の構造を示す模式断面図である。
【発明を実施するための形態】
【００１８】
（第１実施形態）
以下、本発明の第１実施形態に係る画像形成装置について、図面を参照して説明する。
【００１９】
図１は、本発明の第１実施形態に係る画像形成装置の概略側面図である。
【００２０】
画像形成装置１００は、スキャナ機能、複写機能、プリンタ機能、およびファクシミリ機能等を有する複合機であり、画像読取装置９０によって読み取られた原稿の画像を外部に送信し（スキャナ機能に相当する）、読み取られた原稿の画像または外部から受信した画像をカラーもしくは単色で用紙に画像形成する（複写機能、プリンタ機能、およびファクシミリ機能に相当する）。
【００２１】
画像読取装置９０の上側には、画像読取装置９０に対して開閉自在に支持された原稿搬送装置１２０（ＡＤＦ）が設けられている。画像読取装置９０は、光源や画像撮像素子等で構成された画像読取部９３を備えており、原稿の画像を読み取る。原稿搬送装置１２０が開かれると、画像読取装置９０の上方の原稿載置台９２が開放され、原稿（用紙）を手置きで置くことができるようになっている。また、原稿搬送装置１２０は、載置された原稿を画像読取装置９０の上に自動で搬送する。画像読取装置９０は、載置された原稿または原稿搬送装置１２０から搬送された原稿を読み取って画像データを生成する。なお、原稿搬送装置１２０の詳細な構造については、後述する図２ないし図５を参照して説明する。
【００２２】
画像形成装置１００は、露光装置１、現像装置２、感光体ドラム３、クリーナ装置４、帯電器５、中間転写ベルト装置６、定着装置７、給紙トレイ８１、手差しトレイ８２、排紙トレイ９１、および用紙搬送経路Ｓを備える構成とされており、外部から伝達された画像データに応じて、所定の用紙に対して多色および単色の画像を形成する。
【００２３】
画像形成装置１００において扱われる画像データは、ブラック（Ｋ）、シアン（Ｃ）、マゼンタ（Ｍ）、イエロー（Ｙ）の各色を用いたカラー画像に応じたものである。従って、現像装置２、感光体ドラム３、帯電器５、クリーナ装置４は、各色に応じた４種類の潜像を形成するようにそれぞれ４個ずつ設けられ、それぞれブラック、シアン、マゼンタ、イエローに設定され、これらによって４つの画像ステーションが構成されている。
【００２４】
感光体ドラム３は、画像形成装置１００の略中央に配置されている。帯電器５は、感光体ドラム３の表面を所定の電位に均一に帯電させる。露光装置１は、感光体ドラム３の表面を露光して静電潜像を形成する。現像装置２は、感光体ドラム３の表面の静電潜像を現像して、感光体ドラム３の表面にトナー像を形成する。上述した一連の動作によって、各感光体ドラム３の表面に各色のトナー像が形成される。クリーナ装置４は、現像および画像転写の後に感光体ドラム３の表面の残留トナーを除去および回収する。
【００２５】
中間転写ベルト装置６は、感光体ドラム３の上側に配置され、中間転写ベルト６１、中間転写ベルト駆動ローラ６２、中間転写ベルト従動ローラ６３、中間転写ローラ６４、および中間転写ベルトクリーニング装置６５を備えている。なお、中間転写ローラ６４は、ＹＭＣＫ用の各色の画像ステーションに対応して４本設けられている。
【００２６】
中間転写ベルト駆動ローラ６２、中間転写ベルト従動ローラ６３、および中間転写ローラ６４は、中間転写ベルト６１を張架して、中間転写ベルト６１の表面を所定方向（図中矢符Ｄ方向）に移動させるように構成されている。
【００２７】
中間転写ベルト６１は、矢符Ｄの方向へ周回移動し、中間転写ベルトクリーニング装置６５によって残留トナーを除去および回収され、各感光体ドラム３の表面に形成された各色のトナー像が順次転写して重ね合わされて、中間転写ベルト６１の表面にカラーのトナー像が形成される。
【００２８】
画像形成装置１００は、転写ローラ１０ａを含む２次転写装置１０をさらに備えている。転写ローラ１０ａは、中間転写ベルト６１との間にニップ域が形成されており、用紙搬送経路Ｓを通じて搬送されて来た用紙をニップ域に挟み込んで搬送する。用紙は、ニップ域を通過する際に、中間転写ベルト６１の表面のトナー像が転写される。
【００２９】
給紙トレイ８１は、画像形成に使用する用紙を蓄積しておくためのトレイであり、露光装置１の下側に設けられている。手差しトレイ８２は、画像形成装置１００の側面に開閉自在に設けられ、開放することで画像形成に使用する用紙を載置できるトレイである。また、排紙トレイ９１は、画像形成装置１００の上側に設けられており、画像形成済みの用紙を載置するためのトレイである。
【００３０】
用紙搬送経路Ｓは、Ｓ字状に設けられた主経路Ｓ１と、主経路Ｓ１の途中で分岐して再合流する反転経路Ｓ２とを備え、主経路Ｓ１に沿って、ピックアップローラ１１ａ、手差しピックアップローラ１１ｂ、レジスト前ローラ１２ａ、レジストローラ１３、２次転写装置１０、定着装置７、および排紙ローラ１２ｂが配置されている。反転経路Ｓ２は、定着装置７と排紙ローラ１２ｂとの間から分岐し、反転搬送ローラ１２ｃおよび反転搬送ローラ１２ｄを経由してレジスト前ローラ１２ａとレジストローラ１３との間に再合流する。
【００３１】
ピックアップローラ１１ａは、給紙トレイ８１の端部近傍に備えられ、給紙トレイ８１から用紙を１枚ずつ用紙搬送経路Ｓに供給する呼び込みローラである。レジストローラ１３は、給紙トレイ８１から搬送されている用紙を一旦保持し、感光体ドラム３上のトナー像の先端と用紙の先端とを合わせるタイミングで用紙を転写ローラ１０ａに搬送する。レジスト前ローラ１２ａは、用紙の搬送を促進補助するための小型のローラである。
【００３２】
定着装置７では、定着ローラ７１に加圧ローラ７２が押圧され、定着ローラ７１を加熱する加熱部７３を備えている。定着装置７では、未定着のトナー像が形成された用紙を受け取り、用紙を定着ローラ７１と加圧ローラ７２との間に挟み込んで搬送する。定着後の用紙は、排紙ローラ１２ｂによって排紙トレイ９１上に排出される。
【００３３】
また、用紙の表面だけでなく、裏面に画像形成を行う場合は、用紙を排紙ローラ１２ｂから反転経路Ｓ２へと逆方向に搬送して、用紙の表裏を反転させ、用紙をレジストローラ１３へと再度導き、表面と同様にして裏面に画像形成を行い、用紙を排紙トレイ９１へと搬出する。
【００３４】
図２は、本発明の第１実施形態に係る原稿搬送装置を示す斜視図であって、図３は、図２に示す原稿搬送装置の上面図であって、図４は、図２に示す原稿搬送装置の正面図であって、図５は、図２に示す原稿搬送装置の側面図である。
【００３５】
本発明の第１実施形態に係る原稿搬送装置１２０は、原稿を載置する載置トレイ１３０ｂ（原稿載置部１３０の一部）と、原稿排出口１５１から排出方向Ｈに排出された原稿が積載される排出トレイ１４０（原稿排出部の一例）とを備えている。
【００３６】
原稿搬送装置１２０では、正面に沿った長さ方向Ｘ（図３では、左右方向）での一方の端部側（図３では、左側）に搬送部１５３が設けられ、他方の端部側（図３では、右側）に載置トレイ１３０ｂおよび排出トレイ１４０が設けられている。原稿載置部１３０と排出トレイ１４０とは、高さ方向Ｚで並べて設けられ、原稿載置部１３０が上段に配置され、排出トレイ１４０が下段に配置されている。つまり、載置トレイ１３０ｂは、搬送部１５３の上部に設けられた原稿挿入口１５４から他方の端部側へ延伸して設けられ、排出トレイ１４０は、搬送部１５３の下部に設けられた原稿排出口１５１から他方の端部側へ延伸して設けられている。従って、載置トレイ１３０ｂから原稿が挿入される方向（図３では、左向き）は、排出トレイ１４０に対する原稿の排出方向Ｈ（図３では、右向き）に対して、向きが逆になっている。つまり、長さ方向Ｘにおいて、一方の側に向かう方向が排出方向Ｈとなっている。
【００３７】
原稿搬送装置１２０では、載置トレイ１３０ｂに載置された原稿を、原稿挿入口１５４を介して搬送部１５３の内部に取り入れる。そして、搬送部１５３の内部において、画像読取装置９０で読み取られた原稿は、原稿排出口１５１に設けられた排出ローラ１５２を介して、搬送部１５３から排出されて排出トレイ１４０に積載される。なお、以下では説明のため、長さ方向Ｘと直交する方向を幅方向Ｙ（図３では、上下方向）と呼ぶことがある。
【００３８】
載置トレイ１３０ｂは、原稿挿入口１５４と反対側の端部（載置トレイ延伸端１３０ａ）よりも、原稿挿入口１５４に面する側の端部の方が、低くなるように傾斜している。すなわち、載置トレイ１３０ｂに原稿を載置した際、原稿は、自重によって、原稿挿入口１５４の側へ滑って移動するように傾斜が設けられている。
【００３９】
排出トレイ１４０は、載置トレイ１３０ｂと略同じように、原稿排出口１５１と反対側の端部（排出トレイ延伸端１４０ａ）の方が、高くなるように傾斜している。原稿排出口１５１から原稿を排出する際、原稿は、排出ローラ１５２によって、排出方向Ｈへ少し勢いが付けられる。この勢いによって原稿が排出トレイ１４０から落下しないように、原稿排出口１５１の側へ滑って移動させることで、排出トレイ１４０上の原稿が整頓される。なお、載置トレイ１３０ｂと排出トレイ１４０とで傾斜の角度が違っていてもよい。
【００４０】
また、原稿載置部１３０には、排出方向Ｈにおける下流側（図３では、右端）であって、幅方向Ｙで原稿搬送装置１２０の手前側（図３では、下方）の端部に、切欠部１３１が設けられている。原稿載置部１３０と排出トレイ１４０とは、平面視した状態（例えば、図３）で重なるように配置されているが、切欠部１３１に対応する部分では、排出トレイ１４０が露出している。なお、以下では説明のため、幅方向Ｙにおいて、原稿搬送装置１２０（画像形成装置１００）の正面の側を手前側と呼び、原稿搬送装置１２０の背面の側を奥側（図３では、上方）と呼ぶことがある。
【００４１】
画像形成装置１００では、通常、ユーザが正面の側に立って操作することを想定しており、正面の側に操作パネルなどが設けられている。また、原稿や用紙を回収する際も、正面の側から手を差し入れ易いように設計されている。
【００４２】
原稿載置部１３０は、上面に設けられた載置トレイ１３０ｂと、載置トレイ１３０ｂの下部を覆う原稿載置下部材１３０ｃとで構成されている。原稿載置下部材１３０ｃの下面であって、切欠部１３１の近傍には、光源収納部１３２が設けられている。光源収納部１３２は、切欠部１３１に沿った原稿載置下部材１３０ｃの外縁部であって、切欠部１３１よりも少し奥側に設けられている。光源収納部１３２近傍の構造については、図６を参照して説明する。
【００４３】
図６は、光源収納部近傍を示す拡大下面図である。
【００４４】
図６は、図２等に示す原稿載置下部材１３０ｃ（原稿載置部１３０）を下方から見た状態であって、光源収納部１３２近傍を拡大して示している。原稿載置部１３０の内部であって、光源収納部１３２に面する部分には、光源１６１（後述する図７参照）を有する基板１６０が設けられている。また、光源収納部１３２には、原稿載置下部材１３０ｃを開口する開口部１３３が設けられており、基板１６０の一部が開口部１３３を介して露出している。基板１６０は、例えば、ＬＥＤなどの発光素子（光源１６１）を備えており、光源１６１から照射された光が開口部１３３から出射する。
【００４５】
次に、基板１６０近傍の構造と光の照射範囲との関係について、図７および図８を参照して、詳細に説明する。
【００４６】
図７は、基板近傍の構造を示す模式断面図であって、図８は、下側基板保持部１３５に対応する部分での拡大断面図である。
【００４７】
図７は、基板１６０が設けられている部分において、原稿載置部１３０および排出トレイ１４０の断面を抽出して示しており、原稿搬送装置１２０の他の部分は省略している。原稿搬送装置１２０では、水平基準が設定されており、図７では、高さ方向Ｚで一致する部分であって、長さ方向Ｘに平行な面に相当する。図７に示す水平基準線ＳＫは、水平基準を示しており、本実施の形態において、水平基準は、長さ方向Ｘおよび幅方向Ｙに平行で、高さ方向Ｚと直交する面とされている。
【００４８】
上述したように、載置トレイ１３０ｂは、載置トレイ延伸端１３０ａが高くなるように傾斜が設けられており、上面と下面とが略同じ傾きになっている。また、排出トレイ１４０の上面も、排出トレイ延伸端１４０ａが高くなるように傾斜している。つまり、載置トレイ１３０ｂの載置面（原稿が載置される面）および排出トレイ１４０の上面は、原稿搬送装置１２０の水平基準に対して傾いている。
【００４９】
基板１６０は、平板状とされ、原稿載置部１３０の内部に収納されており、載置トレイ１３０ｂの内側面から伸びた上側基板保持部１３４に保持されている。基板１６０は、例えば、ビスや上側基板保持部１３４に設けられた爪によって保持される構成としてもよい。上側基板保持部１３４は、基板１６０と当接する部分において、載置トレイ１３０ｂの載置面と異なる傾斜が設けられている。基板１６０において、光源１６１から照射される光の光軸（例えば、照射直線ＣＬ）は、上側基板保持部１３４に応じた傾斜とされる。
【００５０】
また、図８に示すように、原稿載置下部材１３０ｃには、内側面から伸びた下側基板保持部１３５が設けられている。下側基板保持部１３５は、開口部１３３から少しずれた位置に設けられており、載置トレイ１３０ｂの載置面と異なる傾斜が設けられている。下側基板保持部１３５は、上側基板保持部１３４と同じ傾斜となっており、下側基板保持部１３５に応じた傾斜となるように、基板１６０を保持する。
【００５１】
基板１６０は、ビスによって下側基板保持部１３５に保持させてもよく、この場合、上側基板保持部１３４を設けない構成としてもよい。また、ビスに替えて、下側基板保持部１３５に設けた図示しない爪（係止部）で保持してもよく、この場合、上側基板保持部１３４によって基板１６０を押さえてもよい。
【００５２】
通常、平板状の部材を平面に取り付ける場合は、平面に沿うように固定するのが簡単である。しかしながら、本実施の形態では、上側基板保持部１３４および下側基板保持部１３５を設けて基板１６０を傾斜させているので、原稿載置部１３０の形状に拘わらず、基板１６０の向きを自在に設定できる。
【００５３】
具体的には、光源１６１の光軸が、原稿排出口１５１の側（図７では、左側）向きに傾いている。図７に示す破線は、排出トレイ１４０の上面と直交し、光源１６１に向けて伸ばした補助線ＨＬを示しており、一点鎖線は、光源１６１と直交し、排出トレイ１４０の上面に向けて伸ばした直線（照射直線ＣＬ）を示している。
【００５４】
開口部１３３には、基板１６０に面する側の内側面に、薄く形成されたスリット部材１３３ａが取り付けられている。スリット部材１３３ａは、遮光性を有し、光源１６１から出た光の一部を遮って、光を絞る。つまり、スリット部材１３３ａの形状によって、光の照射範囲ＳＲを自在に設定できる。図７に示す二点鎖線は、開口部１３３およびスリット部材１３３ａを抜けて、排出トレイ１４０を照らす光が照射される範囲（照射範囲ＳＲ）を示している。
【００５５】
次に、基板１６０の傾きと照射範囲ＳＲの変化について、図９を参照して説明する。
【００５６】
図９は、光源の向きと照射範囲との関係を示す説明図である。
【００５７】
図９では、光が照射される基準平面Ｍ１に対して、同じ距離（光源距離Ｌ１）に配置された２つの光源（第１光源Ｋ１および第２光源Ｋ２）での照射範囲ＳＲを示している。具体的に、第１光源Ｋ１および第２光源Ｋ２は、同じ仕様とされており、光軸ＫＺに対して光が広がる角度（照射角θ）が等しい。第１光源Ｋ１は、基準平面Ｍ１と正対しており、光軸ＫＺが基準平面Ｍ１と直交する。第２光源Ｋ２は、基準平面Ｍ１に対し傾けて配置されており、光軸ＫＺが表面と直交しない。その結果、第１光源Ｋ１が基準平面Ｍ１を照らす幅（第１照射幅Ｗ１）よりも、第２光源Ｋ２が基準平面Ｍ１を照らす幅（第２照射幅Ｗ２）が、大きくなる。このように、光源の向きを傾けることで、照射範囲ＳＲの広さが変わる。
【００５８】
上述したように、本実施の形態では、光源１６１と排出トレイ１４０の上面とが正対していないので、照射直線ＣＬと補助線ＨＬとは一致しない。また、基板１６０は、載置トレイ１３０ｂの載置面と異なる傾斜であって、原稿搬送装置１２０の水平基準に対して傾いている。このように、基板１６０を水平基準に対して、傾けて配置することで、排出方向Ｈでの照射範囲ＳＲを広げることができ、ユーザの視認性を向上させることができる。また、排出トレイ１４０に対して基板１６０が傾いているので、排出トレイ１４０上での照射範囲を広げることができる。具体的に、排出トレイ１４０の上面では、光源１６１を傾けた側において、照射範囲ＳＲが特に広がっており、照射範囲ＳＲを広げたい方向を自在に設定できる。
【００５９】
図７に示すように、基板１６０は、原稿載置部１３０のうち、排出方向Ｈでの下流側端部（載置トレイ延伸端１３０ａ）の近傍に配置されている。このように、排出トレイ１４０上の原稿に対して、排出方向Ｈでの端部を含む範囲を照射範囲とすることができ、原稿によって生じる明暗差などを設けて、視認性を向上させることができる。つまり、排出トレイ１４０の排出方向Ｈでの長さは、載置される原稿のサイズに応じて設計されており、原稿の端部が収まる程度とされている。従って、原稿を積載した際、排出トレイ延伸端１４０ａ近傍に原稿の端部が位置する。原稿と排出トレイ１４０との両者を光で照らすと、それぞれで光の照り返しに差が生じ、明るさが違って見える。
【００６０】
本実施の形態において、排出トレイ１４０は、排出方向Ｈにおいて、照射範囲ＳＲよりも下流側に延伸されている。すなわち、排出トレイ１４０には、光で照らされる部分と照らされない部分とが設けられており、明暗差が生じるので、ユーザに対して、光を目立たせることができる。
【００６１】
なお、照射範囲ＳＲは、基板１６０の向きや、原稿載置部１３０において設ける位置によって適宜変更することができ、例えば、排出方向Ｈにおいて、排出トレイ延伸端１４０ａの外側まで、光で照らすようにしてもよい。
【００６２】
また、本実施の形態では、基板１６０自体を傾けて光源１６１の光軸の向きを調整したが、これに限定されず、光源１６１の光軸の向きを変える光学部材を設けるようにしてもよい。ここでの光学部材は、例えば、プリズムやレンズなどであって、光の出射方向を傾ける。
【００６３】
排出トレイ１４０では、排出トレイ延伸端１４０ａから下流側に引き出すことで、原稿が積載される部分を広げる補助トレイを設けてもよいが、補助トレイに対して光を照らすことは考慮しなくてもよく、補助トレイを含む照射範囲ＳＲとする必要はない。
【００６４】
（第２実施形態）
次に、本発明の第２実施形態に係る画像形成装置（原稿搬送装置）について、図面を参照して説明する。なお、第２実施形態に係る画像形成装置の構造については、第１実施形態と略同様であるので、同様の符号を付して説明および図面を省略する。
【００６５】
図１０は、本発明の第２実施形態において、基板近傍の構造を示す模式断面図である。
【００６６】
第２実施形態では、第１実施形態に対し、開口部１３３周辺の構造が異なっている。具体的に、開口部１３３では、厚さが徐々に変化するように傾斜したテーパ部１３３ｂが設けられている。テーパ部１３３ｂは、内側面側で開口が小さく、外側面側で開口が大きくなるように傾斜している。開口部１３３にテーパ部１３３ｂを形成した構成では、スリット部材１３３ａを設けなくてもよい。つまり、開口部１３３自体の形状によって、照射範囲ＳＲを絞っている。この際、原稿載置部１３０の筐体の厚みが大きいと、照射範囲ＳＲの絞り方が意図した通りにならないことがある。こうした厚みによるズレを避けるため、開口部１３３のエッジでは、厚みを薄くすることが望ましい。
【００６７】
（第３実施形態）
次に、本発明の第３実施形態に係る画像形成装置（原稿搬送装置）について、図面を参照して説明する。なお、第３実施形態に係る画像形成装置の構造については、第１実施形態および第２実施形態と略同様であるので、同様の符号を付して説明および図面を省略する。
【００６８】
第１実施形態では、光源１６１の光軸を排出方向Ｈに対して傾けていたが、第３実施形態では、幅方向Ｙに対しても傾けている。具体的に、光源１６１の光軸は、幅方向Ｙにおいて、手前側に向けて傾斜している。この構成によると、光の照射範囲ＳＲが手前側に広がり、ユーザに近い部分を明るくすることができ、ユーザに対して、光を目立たせることができる。
【００６９】
なお、今回開示した実施の形態は全ての点で例示であって、限定的な解釈の根拠となるものではない。従って、本発明の技術的範囲は、上記した実施の形態のみによって解釈されるものではなく、特許請求の範囲の記載に基づいて画定される。また、特許請求の範囲と均等の意味および範囲内での全ての変更が含まれる。
【符号の説明】
【００７０】
９０  画像読取装置
１００  画像形成装置
１２０  原稿搬送装置
１３０  原稿載置部
１３０ａ  載置トレイ延伸端
１３０ｂ  載置トレイ
１３０ｃ  原稿載置下部材
１３１  切欠部
１３２  光源収納部
１３３  開口部
１３３ａ  スリット部材
１３３ｂ  テーパ部
１４０  排出トレイ（原稿排出部の一例）
１４０ａ  排出トレイ延伸端
１５１  原稿排出口
１５２  排出ローラ
１５３  搬送部
１５４  原稿挿入口
１６０  基板
１６１  光源
Ｈ  排出方向
ＳＲ  照射範囲
Ｘ  長さ方向
Ｙ  幅方向
Ｚ  高さ方向
【図１】
2020063135.tif 000003
【図２】
2020063135.tif 000004
【図３】
2020063135.tif 000005
【図４】
2020063135.tif 000006
【図５】
2020063135.tif 000007
【図６】
2020063135.tif 000008
【図７】
2020063135.tif 000009
【図８】
2020063135.tif 000010
【図９】
2020063135.tif 000011
【図１０】
2020063135.tif 000012